(57)【要約】【課題】筐体に近在した２つの通気孔が設けられた場合に、筐体内の温度上昇を効率よく抑えることができる電子機器を提供する。【解決手段】筐体と、前記筐体に設けられ、前記筐体内面と前記筐体外面とを通ずる第１通気孔と、前記筐体内部に設けられ、前記第１通気孔に通ずる通気路と、前記筐体内部に設けられ、前記通気路に通ずる第２通気孔と、を備え、前記第１通気孔は、近在して２つ設けられ、２つの前記第１通気孔それぞれに前記通気路及び前記第２通気孔が設けられ、２つの前記第２通気孔間の距離は、２つの前記第１通気孔間の距離より長いことを特徴とする。【選択図】図６
2014093611.tif 000002
【特許請求の範囲】
【請求項１】
筐体と、
前記筐体に設けられ、前記筐体内面と前記筐体外面とを通ずる第１通気孔と、
前記筐体内部に設けられ、前記第１通気孔に通ずる通気路と、
前記筐体内部に設けられ、前記通気路に通ずる第２通気孔と、を備え、
前記第１通気孔は、近在して２つ設けられ、２つの前記第１通気孔それぞれに前記通気路及び前記第２通気孔が設けられ、
２つの前記第２通気孔間の距離は、２つの前記第１通気孔間の距離より長いことを特徴とする電子機器。
【請求項２】
前記筐体内部に、２つの前記第１通気孔が設けられた溝部を有し、
２つの前記第１通気孔間に、２つの前記通気路を分離するパーティションシートを設け、
２つの前記第１通気孔を覆うように、前記パーティションシート上及び前記溝部の側壁上に設けられるカバーシートを設け、
前記通気路は、前記溝部、前記パーティションシート及び前記カバーシートにより形成されることを特徴とする請求項１に記載の電子機器。
【請求項３】
防水性、防塵性及び通気性を有するエアベントシートが、前記溝部において、２つの前記第１通気孔を覆うように、前記パーティションシート下に設けられることを特徴とする請求項１又は２に記載の電子機器。
【請求項４】
前記パーティションシートは、略Ｈ型に形成され、
２つの前記第１通気孔間に設けられると共に、前記第１通気孔と前記溝部の側壁間に設けられることを特徴とする請求項２又は３に記載の電子機器。
【発明の詳細な説明】
【技術分野】
【０００１】
本発明は、通気孔を有する電子機器に関する。
【背景技術】
【０００２】
携帯電話等の電子機器において、通気孔を有するタイプが存在する。例えば、高消費電流アプリケーションの運用時に発熱する部品に近接するように筐体に通気孔を設ける技術が知られている（特許文献１参照）。
【先行技術文献】
【特許文献】
【０００３】
【特許文献１】特開２００８−２５２３２３号公報
【発明の概要】
【発明が解決しようとする課題】
【０００４】
ところで、電気機器の高機能化により内部基板回路からの発熱が問題となっている。内部基板回路からの発熱による温度上昇の影響を効率よく抑えるために、筐体に複数の通気孔、例えば、２つの通気孔を設けることがある。筐体に２つの通気孔を設けることによって、通気孔が１つの場合と比較して、筐体内の気体を効率よく循環させることができる。しかしながら、２つの通気孔を設けたとしても、通気孔が近在していた場合には、気体の循環する範囲が限定的となり、効率よく温度上昇を抑えることがないといった問題がある。
【０００５】
この問題を解決するために、２つの通気孔を筐体の離れた位置に設けることが考えられるが、筐体の設計上、２つの通気孔を近在せざるを得ない場合も生じうる。なお、このような課題は、筐体に２つの通気孔を設ける場合だけでなく、３以上の複数の通気孔を設ける場合にも生じうる。
【０００６】
したがって、本発明は上記した課題を解決するためになされたものであり、筐体に近在した２つの通気孔が設けられた場合に、筐体内の温度上昇を効率よく抑えることができる電子機器を提供することを目的とする。
【課題を解決するための手段】
【０００７】
上記した課題を解決するために本発明の第１の観点の電子機器は、筐体と、前記筐体に設けられ、前記筐体内面と前記筐体外面とを通ずる第１通気孔と、前記筐体内部に設けられ、前記第１通気孔に通ずる通気路と、前記筐体内部に設けられ、前記通気路に通ずる第２通気孔と、を備え、前記第１通気孔は、近在して２つ設けられ、２つの前記第１通気孔それぞれに前記通気路及び前記第２通気孔が設けられ、２つの前記第２通気孔間の距離は、２つの前記第１通気孔間の距離より長い、ように構成する。
【０００８】
また、本発明の電子機器において、前記筐体内部に、２つの前記第１通気孔が設けられた溝部を有し、２つの前記第１通気孔間に、２つの前記通気路を分離するパーティションシートを設け、２つの前記第１通気孔を覆うように、前記パーティションシート上及び前記溝部の側壁上に設けられるカバーシートを設け、前記通気路は、前記溝部、前記パーティションシート及び前記カバーシートにより形成される、ように構成してもよい。
【０００９】
また、本発明の電子機器において、防水性、防塵性及び通気性を有するエアベントシートが、前記凹部において、２つの前記第１通気孔を覆うように、前記パーティションシート下に設けられる、ように構成してもよい。
【００１０】
また、本発明の電子機器において、前記パーティションシートは、略Ｈ型に形成され、２つの前記第１通気孔間に設けられると共に、前記第１通気孔と前記溝部の側壁間に設けられる、ように構成してもよい。
【発明の効果】
【００１１】
本発明によれば、筐体に近在した２つの通気孔が設けられたとしても、筐体内の温度上昇を効率よく抑えることができる。
【図面の簡単な説明】
【００１２】
【図１】本実施形態における携帯端末装置１の外観を示す正面図である。
【図２】本実施形態における携帯端末装置１の外観を示す背面図である。
【図３】本実施形態における携帯端末装置１の外観を示す底面図である。
【図４】第２筐体２Ｂを取り外した状態を示す背面図である。
【図５】第１筐体２Ａを取り外した状態を示す正面図である。
【図６】携帯端末装置１の中間筐体２０の第１面２１に対する分解斜視図である。
【図７】携帯端末装置１の中間筐体２０の第１面２１に対する斜視図である。
【図８】図７のＡ−Ａ’線断面に対応する概略断面図である。
【図９】第１通気孔３０Ａ、３０Ｂ、エアベントシート３１及びパーティションシート３２の構成を示した図である。
【図１０】パーティション３２の替わりに、リブ４０を設けた場合における第１通気孔３０Ｃ、３０Ｄ及びエアベントシート３１Ａ、３１Ｂの構成を示した図である。
【発明を実施するための形態】
【００１３】
以下、本発明に係る電子機器を携帯端末装置１に適用した場合の実施形態について、図面を参照しながら説明する。
【００１４】
まず、本実施形態における携帯端末装置１の全体構成について説明する。図１は、本実施形態における携帯端末装置１の外観を示す正面図である。図２は、本実施形態における携帯端末装置１の外観を示す背面図である。図３は、本実施形態における携帯端末装置１の外観を示す底面図である。
【００１５】
図１から図３に示すように、携帯端末装置１は、本体部となる筐体２を有する。筐体２は、第１筐体２Ａと、第２筐体２Ｂと、を有する。第１筐体２Ａは、ユーザーに対向する側に配置される部材であり、後述するタッチスクリーンディスプレイ３が配置される。第２筐体２Ｂは、手のひら等に対向して配置される部材である。
【００１６】
第１筐体２Ａには、図１に示すように、タッチスクリーンディスプレイ３、着信ランプ４、近接センサー５、及びインカメラ６が配置されている。
【００１７】
タッチスクリーンディスプレイ３は、第１筐体２Ａの正面側に配置されている。タッチスクリーンディスプレイ３は、ディスプレイと、タッチスクリーンとを有する（いずれも不図示）。
【００１８】
ディスプレイは、液晶ディスプレイ、有機ＥＬパネル、又は無機ＥＬパネル等の表示デバイスにより構成される。ディスプレイは、文字及び図形等の画像を表示することができる。ディスプレイは、タッチスクリーンに対して第１筐体２Ａの内側に配置される。
【００１９】
タッチスクリーンは、タッチスクリーンディスプレイ３に対する指、又はスタイラスペン等の接触を検出する。タッチスクリーンは、複数の指、又はスタイラスペン等がタッチスクリーンディスプレイ３に接触した位置及び／又はジェスチャーを検出することができる。タッチスクリーンの検出方式は、静電容量方式、抵抗膜方式、表面弾性波方式（又は超音波方式）、赤外線方式、電磁誘導式、及び荷重検出方式等の任意の方式でよい。なお、本実施形態におけるタッチスクリーンは、自ら振動して音を伝えるレシーバーとしての機能を有する。
【００２０】
着信ランプ４は、電話の着信時、及びメールの受信時に予め設定されたパターンに従って点滅する。また、着信ランプ４は、充電中に所定の色で点灯する。
【００２１】
近接センサー５は、第１筐体２Ａ側における物体の接近を非接触で検出する。近接センサー５は、センサー検出面（不図示）が第１筐体２Ａの正面側に向くように配置されている。近接センサー５により、例えば、通話中において、タッチスクリーンディスプレイ３にユーザーの顔が接近したことが検出される。近接センサー５の位置には、光センサー（不図示）が設けられている。光センサーにおいて周囲の明るさを検出することにより、ディスプレイの明るさを適切に調節することができる。
【００２２】
インカメラ６は、第１筐体２Ａに面している物体を撮影するためのカメラである。インカメラ６は、第１筐体２Ａからレンズ部のみが露出している。
【００２３】
筐体２の幅方向（図中、横方向）において、第１筐体２Ａと第２筐体２Ｂとの接合面となる一方の側面には、電源キー７、及び音量キー８が配置されている。
【００２４】
電源キー７は、電源のオン／オフ、及びスリープモード等の移行／解除の際に操作される。音量キー８は、通話時の音量を調節する際に操作される。音量キー８を構成する２つのキーのうち、一方のキーを操作すると音量が高くなり、他方のキーを操作すると音量が低くなる。
【００２５】
筐体２の幅方向（図中、横方向）において、第１筐体２Ａと第２筐体２Ｂとの接合面となる他方の側面には、外部接続端子及び外部接続端子カバーが配置されている（不図示）。外部接続端子は、不使用時には、外部接続端子カバーにより覆われている。
【００２６】
第２筐体２Ｂには、図２に示すように、スピーカー９、アンテナ１０、赤外線ポート１１、及びアウトカメラ１２が配置されている。
【００２７】
スピーカー９は、電話の着信音及び各種のアラーム音を外部へ出力する。
【００２８】
アンテナ１０は、テレビの地上波電波等を受信する。アンテナ１０は、テレビを視聴する際に筐体２から引き出されて使用される。
【００２９】
赤外線ポート１１は、赤外線通信によりデータの送受信を行うための端子である。
【００３０】
アウトカメラ１２は、第２筐体２Ｂに面している物体を撮影するためのカメラである。アウトカメラ１２は、第２筐体２Ｂからレンズ部のみが露出している。
【００３１】
図３に示すように、筐体２の底面側において、第１筐体２Ａと第２筐体２Ｂとの接合面には、分解用凹部１３が配置されている。分解用凹部１３は、筐体２を、第１筐体２Ａと第２筐体２Ｂとに分離する際に使用される。ユーザーは、分解用凹部１３に指の爪又は工具を挿入し、第１筐体２Ａに対して第２筐体２Ｂを離間させる方向に力を加えることにより、第１筐体２Ａと第２筐体２Ｂとを分離させることができる。
【００３２】
分解用凹部１３の近傍には、マイク（不図示）が配置されている。マイクは、通話時又は音声の録音時に、ユーザーの発した音声を音声信号に変換する音声入力部である。
【００３３】
次に、携帯端末装置１の内部構造について説明する。図４は、携帯端末装置１から第２筐体２Ｂを取り外した状態を示す背面図である。図５は、携帯端末装置１から第１筐体２Ａを取り外した状態を示す正面図である。
【００３４】
図４及び図５に示すように、第１筐体２Ａと第２筐体２Ｂ（不図示）との間には、中間筐体２０が配置されている。中間筐体２０は、第１筐体２Ａ側となる第１面２１（筐体内面）と、第２筐体２Ｂ側となる第２面２２（筐体外面）とを有する。中間筐体２０には、バッテリー収納部２３が設けられている。バッテリー収納部２３には、バッテリー１４のほか、メモリーカード及び１Ｃカード（不図示）が収納されている。
【００３５】
中間筐体２０の第２面２２側には、アンテナ１０及びループアンテナ用基板（被給電部材）１５が装着されている。中間筐体２０の第２面２２は、アンテナ１０を収容する溝を有している。アンテナ１０は、この溝から先端を引き出し可能な構造を有している。
【００３６】
また、中間筐体２０には、中間筐体２０の第１面２１（筐体内面）と中間筐体２０の第２面２２（筐体外面）とを通ずる第１通気孔３０Ａ、３０Ｂ（２つの第１通気孔）が形成されている。第１通気孔３０は、近在して第１通気孔３０Ａ、３０Ｂの２つが形成されている。
【００３７】
また、中間筐体２０の第１面２１側には、エアベントシート３１、パーティションシート３２及びカバーシート３３が設けられている。また、中間筐体２０の第１面２１側には、第２通気孔３４Ａ、３４Ｂ（２つの第２通気孔）が形成されている。
【００３８】
なお、携帯端末装置１は、防塵及び防水対策が施され、第１筐体２Ａと、中間筐体２０との間に、水や埃が浸入するおそれを低減できる構成となっている。この第１筐体２Ａと中間筐体２０との間には、後述する電子部品３７、回路基板３８が設けられている。なお、筐体内部とは、たとえば、第１筐体２Ａと中間筐体２０との間に形成される部分である。したがって、たとえば、中間筐体２０の第１面２１側には、第２通気孔３４Ａ、３４Ｂが形成されているとは、筐体内部に、第２通気孔が設けられると意味する。
【００３９】
図６は、携帯端末装置１の中間筐体２０の第１面２１に対する分解斜視図であり、エアベントシート３１、パーティションシート３２及びカバーシート３３を分解して図示したものである。
【００４０】
図６に示すように、エアベントシート３１、パーティションシート３２及びカバーシート３３は、中間筐体２０の第１面２１に対して、エアベントシート３１、パーティションシート３２、カバーシート３３の順に重ねて設けられている。
【００４１】
第１通気孔３０Ａ、３０Ｂは、中間筐体２０の第１面２１に形成された溝部３５に形成されている。溝部３５の側壁３５Ａ、３５Ｂの高さは、エアベントシート３１及びパーティションシート３２による厚みと等しくなるように形成されている。なお、溝部３５の底面（中間筐体２０の第１面２１）にエアベントシート３１及びパーティションシート３２が重ねて設けられる場合であって、両面テープにより貼り合わされる場合には、更に両面テープの厚みを加えた厚みと等しくなるように、溝部３５の側壁３５Ａ、３５Ｂが形成されるとよい。カバーシート３３は、溝部３５の側壁３５Ａ、３５Ｂ上と、パーティションシート３２上に跨って設けられる。エアベントシート３１上にパーティションシート３２が重ねて設けられた場合、パーティションシート３２の上部と、溝部３５の側壁３５Ａ、３５Ｂとは、ほぼ同じ高さになるので、溝部３５の側壁３５Ａ、３５Ｂ上と、パーティションシート３２上に跨って設けられるカバーシート３３は、外圧が加わったとしても撓みにくくなり、後述する通気路３６Ａ、３６Ｂも変形しにくく、通気路３６Ａ、３６Ｂの通気性を保つことができる。
【００４２】
第１通気孔３０Ａ、３０Ｂは、エアベントシート３１によって覆われている。エアベントシート３１は、たとえば、ゴアシートであり、通気性を有すると共に、水、水蒸気及び粉塵の通過を抑える防塵性及び防水性を有するものである。エアベントシート３１は、厚みが０．２ｍｍであり、その周辺部に沿って貼り付けられた厚さ０．２ｍｍの両面テープによって、中間筐体２０の第１面２１（溝部３５の底面）に貼り付けられている。また、エアベントシート３１上には、第１通気孔３０Ａ、３０Ｂの間にパーティションシート３２が設けられている。パーティションシート３２は、たとえば、ポリカーボネートからなる。パーティションシート３２は、ポリカーボネートからなることにより硬質である。また、パーティションシート３２は、厚みが０．４ｍｍであり、厚さ０．１ｍｍの両面テープによって、エアベントシート３１に貼り付けられている。パーティションシート３２は、第１通気孔３０Ａ、３０Ｂの間に設けられることによって、後述する通気路３６Ａ、３６Ｂを分離している。また、パーティションシート３２は、略Ｈ型に形成され、第１通気孔３０Ａ、３０Ｂの間に設けられると共に、第１通気孔３０Ａ、３０Ｂと溝部３５の側壁３５Ａ、３５Ｂとの間に設けられる。パーティションシート３２が、第１通気孔３０Ａ、３０Ｂの間に設けられるだけではなく、第１通気孔３０Ａ、３０Ｂと溝部３５の側壁３５Ａ、３５Ｂとの間に設けられることによって、携帯端末装置１の剛性が高まるとともに、後述するカバーシート３３に対して圧力がかかったとしても、パーティションシート３２によって支えられることになり、後述する通気路３６Ａ、３６Ｂが変形しにくくなり、通気性を保つことができる。
【００４３】
パーティションシート３２上および溝部３５の側壁３５Ａ、３５Ｂ上には、カバーシート３３が設けられている。カバーシート３３は、たとえば、ＰＥＴ（Ｐｏｌｙｅｔｈｙｌｅｎｅ  Ｔｅｒｅｐｈｔｈａｌａｔｅ）とフェライトが重ね合わせてなる磁性シートである。ＰＥＴとフェライトの厚みは、それぞれ０．０２ｍｍ、０．３１ｍｍである。カバーシート３３は、０．０３ｍｍの両面テープにより、パーティションシート３２および溝部３５の側壁３５Ａ、３５Ｂと貼り合わされている。なお、カバーシート３３は、両面テープにより、溝部３５の側壁３５Ａ、３５Ｂのみと貼り合わされていてもよい。
【００４４】
図６及び図８に示す点線矢印は、気体の流れを便宜的に示したものである。気体の流れについて、図６、図７及び図８を用いて説明する。図７は、携帯端末装置１の中間筐体２０の第１面２１に対する斜視図であり、図８は、図７のＡ−Ａ’線に対応する概略断面図である。
【００４５】
図７に示す２つの第２通気孔３４Ａ、３４Ｂの間の距離は、図６に示す２つの第１通気孔３０Ａ、３０Ｂの間の距離より長い。したがって、第１通気孔３０Ａ又は３０Ｂから流入又は流出する気体を筐体内部（第１筐体２Ａと中間筐体２０の間）において、より広い範囲で効率的に循環させることができるので、筐体内部の温度上昇を効率よく抑えることができる。
【００４６】
図８に示すように、電子部品３７及び回路基板３８が、第１筐体２Ａと中間筐体２０との間に設けられている。電子部品３７は、携帯端末装置１のタッチスクリーンディスプレイ３などの種々のデバイスを動作させるために用いられるものであり、デバイスを動作させる際に発熱が生じる。回路基板３８は、電子部品３７が設けられる基板である。なお、電子部品３７は、回路基板３８の一方にのみ設けられていてもよいし、両方に設けられていてもよい。
【００４７】
また、図８に示すように、筐体内部（第１筐体２Ａと中間筐体２０の間）には、通気路３６Ａ、３６Ｂ（２つの通気路）が設けられている。通気路３６Ａは、第１通気孔３０Ａに通ずると共に、図７に示す、筐体内部に設けられた第２通気孔３４Ａに通ずる。また、通気路３６Ｂは、第１通気孔３０Ｂに通ずると共に、図７に示す、筐体内部に設けられた第２通気孔３４Ｂに通ずる。通気路３６Ａ、３６Ｂは、図８に示すように、溝部３５、パーティションシート３２及びカバーシート３３によって形成される。このような形状の通気路３６Ａ、３６Ｂは、空洞（中空）部分を有するため、金型のみを用いて成形するのは困難である。しかしながら、溝部３５を設け、パーティションシート３２及びカバーシート３３を重ね合わせて形成することにより、通気路３６Ａ、３６Ｂを容易に形成することができる。
【００４８】
次に、携帯端末装置１における気体の循環について説明する。たとえば、ユーザが、携帯端末装置１を、図８の図面向かって上側が上に、図８の図面向かって下側が下になるように把持や固定している場合、電子部品３７により熱せられた気体は、図８の図面向かって上側に移動することになる。そして、熱せられた気体は、筐体内部を巡り、図７に示す第２通気孔３４Ａに流入する。第２通気孔３４Ａに流入した気体は、第２通気孔３４に通ずる通気路３６Ａ及び第１通気孔３０Ａを介して筐体外に流出することになる。また、電子部品３７により熱せられた気体が図８の図面向かって上側に移動することにより、図８の図面向かって下側から冷気（電子部品３７により、まだ熱せられていない気体）が上昇することになる。図８の図面向かって下側から冷気が上昇することにより、第１通気孔３０Ｂ、通気路３６Ｂ及び通気路３６Ｂに通ずる図７に示す第２通気孔３４Ｂを介して、外気が筐体内部に流入することになる。このように、携帯端末装置１は、集積回路３７の発熱に基づく筐体内部の温度上昇を気体の循環により抑えることができる。特に、携帯端末装置１は、通気路３６Ａ、３６Ｂ及び第２通気孔３４Ａ、３４Ｂが設けられているので、気体が循環する範囲を大きくすることができ、筐体内部で熱の滞留が起こりにくく、効率的に筐体内部の温度上昇を気体の循環により抑えることができる。
【００４９】
図９は、第１通気孔３０Ａ、３０Ｂ、エアベントシート３１及びパーティションシート３２の構成を示した図である。図９（ａ）は、第１通気孔３０Ａ、３０Ｂに、エアベントシート３１及びパーティションシート３２が重ね合わさって設けられている状態を示している。また、図９（ｂ）は、第１通気孔３０Ａ、３０Ｂの形状を示している。また、図９（ｃ）は、エアベントシート３１及びエアベントシート３１を中間筐体２０の第１面２１に貼り付けるための両面テープ３９を示している。また、図９（ｄ）は、通気路３６Ａ、３６Ｂを分離する略Ｈ型のパーティションシート３２を示している。図９に示すとおり、携帯端末装置１は、第１通気孔３０Ａ、３０Ｂから筐体内部に侵入する水及び埃をエアベントシート３１で抑えると共に、図８に示す通気路３６Ａ、３６Ｂを略Ｈ型のパーティションシート３２で分離している。
【００５０】
図１０は、パーティション３２の替わりに、リブ４０を設けた場合における第１通気孔３０Ｃ、３０Ｄ及びエアベントシート３１Ａ、３１Ｂの構成を示した図である。本発明の電子機器は、図８に示す通気路３６Ａ、３６Ｂを、パーティションシート３２の替わりに、図１０（ｂ）に示すリブ４０によって分離することができる。なお、パーティション３２の替わりにリブ４０により、図８に示す通気路３６Ａ、３６Ｂを分離するように構成した場合、後述する理由により第１通気孔３０Ｃ、３０Ｄの面積が図９に示す第１通気孔３０Ａ、３０Ｂより小さくなる。
【００５１】
リブ４０は、中間筐体２０と一体成型されるものである。したがって、リブ４０は、中間筐体２０の一部分である。リブ４０を設けることにより、パーティションシート３２を設ける必要がないという利点がある一方、図１０（ｃ）に示すとおり２つのエアベントシート３１Ａ、３１Ｂを、それぞれ、第１通気孔３０Ｃ、３０Ｄに貼り付ける必要がある。エアベントシート３１Ａ、３１Ｂを、第１通気孔３０Ｃ、３０Ｄに貼り付けるためには、両面テープ３９Ａ、３９Ｂが必要であるが、好適な防塵性及び防水性を確保するためには、両面テープ３９Ａ、３９Ｂの幅は所定の幅以下に細くすることができない。したがって、図１０（ａ）に示すとおり、リブ４０を設けた場合には、図９における第１通気孔３０Ａ、３０Ｂより孔の面積が小さくなる。
【００５２】
以上、説示したとおり、本発明の電子機器は、筐体に近在した２つの通気孔が設けられたとしても、筐体内の温度上昇を効率よく抑えることができる。特に、金型により成形が難しい通気路を、溝部、パーティションシート及びカバーシートにより形成したので、低コストで容易に形成することができる。また、本発明は、筐体に近在した２つの通気孔を防水性、防塵性及び通気性を有するエアベントシートによって覆うので、筐体に近在した２つの通気孔を、防水タイプの電子機器において必須である気圧（空気）調整孔（エアベント）として利用することができるとともに、放熱用の孔としても利用することができる。
また、通気路３６Ａ、３６Ｂを分離するパーティションシート３２は、略Ｈ型をしているので、電子機器全体の剛性を高めるとともに、通気路の変形を抑え、通気性を保つことができる。
【符号の説明】
【００５３】
１  携帯端末装置（電子機器）
２  筐体
２Ａ  第１筐体
２Ｂ  第２筐体
２０  中間筐体
２１  第１面
２２  第２面
３０Ａ、３０Ｂ、３０Ｃ、３０Ｄ  第１通気孔
３１  エアベントシート
３２  パーティションシート
３３  カバーシート
３４Ａ、３４Ｂ  第２通気孔
３５  溝部
３５Ａ、３５Ｂ  側壁
３６Ａ、３６Ｂ  通気路
３７  電子部品
３８  回路基板
３９、３９Ａ、３９Ｂ  両面テープ
４０  リブ
【図１】
2014093611.tif 000003
【図２】
2014093611.tif 000004
【図３】
2014093611.tif 000005
【図４】
2014093611.tif 000006
【図５】
2014093611.tif 000007
【図６】
2014093611.tif 000008
【図７】
2014093611.tif 000009
【図８】
2014093611.tif 000010
【図９】
2014093611.tif 000011
【図１０】
2014093611.tif 000012